(57)【要約】【課題】ワイヤレスリモコンからの信号を受ける受光部を、意匠性を損なわず、又風回路に弊害を与えることなく、安価に取り付けられる空気調和機を提供する。【解決手段】制御装置（図示せず）を内蔵し天井に取り付けられる空気調和機本体１と、空気調和機本体１の下部に取り付けられ空気の吸込口２ｂと吹出口２ａとを有する化粧パネル本体２と、制御装置の制御設定を行うための制御信号を受信する受光部８と、化粧パネル本体２の外周に取外し可能に取り付けられる化粧コーナーカバー７とを備え、受光部８を化粧コーナーカバー７に配置したもので、受光部８を必要とする機種と、必要としない機種とで、化粧コーナーカバー７を変えるだけで済み、意匠性を損なったり、別仕様の吸込みグリル、化粧パネルを製作する必要も無く、安価に製造することができ、また、受光部８が吸入風回路に弊害を与える事が無いので最良の風回路設計ができる。【選択図】図１ 
2005265264.tif 000002
【特許請求の範囲】
【請求項１】
熱交換器、送風機、制御装置を内蔵し天井に取り付けられる空気調和機本体と、前記空気調和機本体の下部に取り付けられ空気の吸込口と吹出口とを有する化粧パネル本体と、前記制御装置の制御設定を行うための制御信号を受信する受光部と、前記化粧パネル本体の外周に取外し可能に取り付けられるカバーとを備え、前記受光部を前記カバーに配置した空気調和機。
【請求項２】
受光部をカバ−の裏面に配置した請求項１記載の空気調和機。
【請求項３】
化粧パネル本体の複数のコーナー外周に取り付けられるカバーを備え、前記カバーのそれぞれが前記コーナーのどれにでも取り付けられるようにすると共に、受光部を前記カバーの１つに配置した請求項１又は２記載の空気調和機。
【発明の詳細な説明】
【技術分野】
【０００１】
本発明は、空気調和機に関し、特にワイヤレスリモコンで遠隔操作される天井埋込型や天井吊下型等の空気調和機に関するものである。
【背景技術】
【０００２】
従来、この種の天井埋込型や天井吊下型等の空気調和機には、その運転動作のための制御装置が設けられており、特にワイヤレスリモコンから信号を受信し、動作制御を行う方法がよく知られている。
【０００３】
その空気調和機の制御装置の制御設定方法については、壁面に設置されたワイヤードリモコンを通して行う方法と、ワイヤレスリモコンを通して行う方法とがあるが、このどちらの方法を選択するかは、空気調和機の設置環境や顧客の要望により決定され、空気調和機の設置時にこれらの工事が行われる。
【０００４】
以下に、図４、５を用いて従来のワイヤレスリモコンで遠隔操作される空気調和機について説明する。
【０００５】
図４は、従来の天井埋込型の空気調和機の室内側から見た化粧パネルの正面図を示すものである。図４において、５０は天井面に固定される空気調和機の化粧パネル本体、５１は化粧パネル本体５０の表面中央開口部に嵌め込まれる吸込グリルで、化粧パネル本体５０及び吸込グリル５１から化粧パネル５２が構成される。５３は化粧パネル本体５０に上記吸込グリル５１の各辺に対向するように設けられた細長形状の空気吹出口で、４箇所設けられている。５４は上記吸込グリル５１に設けられ室内空気を空気調和機内に取り入れる吸込口である。
【０００６】
図５は、上記空気調和機本体の構成を示す分解斜視図である。５７は空気調和機本体で、５６は、ワイヤレスリモコン５８からの光信号を受光する受光窓で、５５ａは、前記受光窓５６と、発光素子５５ｃから成り、受光窓５６で受光した光信号を、制御装置（図示せず）の制御設定を行うために制御基板（図示せず）に伝達するための受光部である。
【０００７】
上記受光部５５ａは化粧パネル本体５０に嵌め込んで配置される吸込みグリル５１に設けられた嵌め込み用切欠部５９に嵌め込んで取り付けるようになっている。また、化粧パネル本体５０にも同様に切欠部５９を設け、それに受光部５５ｂが取付けられるケースもある。
【０００８】
このように、受光部５５ａまたは５５ｂは、吸込みグリル５１、または化粧パネル本体５０に設けられた切欠部５９を通して取付けられ、室内に表出している。
【０００９】
これにより、室内の空気調和機操作者はワイヤレスリモコン５８を受光部５５ａ又は５５５ｂの受光窓５６に向け、ボタン操作を行うことで、制御装置の設定を任意に変更することができる。
【００１０】
一般に化粧パネル５２は構造が複雑で、多様な機器形状に合せ幾つもの種類が要求されるため、その製造コストを下げる必要から、ワイヤードリモコン用、ワイヤレスリモコン用に分けることなく両用途に対応できるように、化粧パネル本体５０、または吸込みグリル５１に対して受光部５５ａ、５５ｂの嵌込用の切欠処理を施して製造している。そして、ワイヤードリモコンを使用する場合には、受光部５５ａまたは５５ｂの取付は不要であ
るから、この切欠部５９に別部材（図示せず）を嵌込む等の処置を行う構成となっている（例えば、特許文献１参照）。
【特許文献１】特開２００３−１７６９２９号公報
【発明の開示】
【発明が解決しようとする課題】
【００１１】
しかしながら、前記従来の構成では、ワイヤードリモコンを使用するために、切欠部５９に別部材を嵌込むと意匠性を損なうのに加え、吸入部の吸入口が小さくなり風回路設計仕様を適切にする必要が発生する。また別部材が取付られるような構成にすると、機種により、受光部５５ａ又は５５ｂの位置が異なる場合、その受光部５５ａ又は５５ｂを取付ける為の切欠部５９の位置が異なる吸込みグリル、または吸込みグリル本体が複数必要となる為、部品の共用性がなくなり、別仕様のものの製作に大きな金型投資が必要となり余分に費用がかかるという課題があった。また、別部材を取付けずノックアウトホール式にしても更に意匠性を損なうという課題があった。また、複雑な形状を有する化粧パネル本体５０に切欠部５９を設けたり、別部材を嵌込む処置は、余分に費用が嵩む等の課題を有していた。
【００１２】
本発明は前記従来の課題を解決するもので、ワイヤレスリモコンからの信号を受ける受光部を、意匠性を損なわず、風回路に弊害を与えず、かつ、別仕様の吸込みグリル、化粧パネルを製作することなく、安価に製造できる空気調和機を提供することを目的としている。
【課題を解決するための手段】
【００１３】
前記従来の課題を解決するために、本発明の空気調和機は、熱交換器、送風機、制御装置を内蔵し天井に取り付けられる空気調和機本体と、前記空気調和機本体の下部に取り付けられ空気の吸込口と吹出口とを有する化粧パネル本体と、前記制御装置の制御設定を行うための制御信号を受信する受光部と、前記化粧パネル本体の外周に取外し可能に取り付けられるカバーとを備え、前記受光部を前記カバーに配置したもので、受光部を必要とする機種と、必要としない機種とで、カバーを変えるだけで済み、意匠性を損なったり、別仕様の吸込みグリル、化粧パネルを製作することも必要無く、共用性が容易に図れ、安価に製造することができる。また、受光部が化粧パネル本体の外周に取り付けられるカバーに設けられているので、吸入風回路に弊害を与える事が無く、最良の風回路設計ができるものである。
【発明の効果】
【００１４】
本発明の空気調和機は、受光部を化粧パネル本体外周に設けたカバ−に設置することにより、化粧パネル本体の意匠性を損なわず、風回路の吸入側にも影響がなく、安定した風量が設定可能であり、かつ化粧パネル本体やそれに取り付けられる吸込グリルが共用化でき、安価に製造することができる。
【発明を実施するための最良の形態】
【００１５】
第１の発明は、 熱交換器、送風機、制御装置を内蔵し天井に取り付けられる空気調和機本体と、前記空気調和機本体の下部に取り付けられ空気の吸込口と吹出口とを有する化粧パネル本体と、前記制御装置の制御設定を行うための制御信号を受信する受光部と、前記化粧パネル本体の外周に取外し可能に取り付けられるカバーとを備え、前記受光部を前記カバーに配置したもので、受光部を必要とする機種と、必要としない機種とで、カバーを変えるだけで済み、意匠性を損なったり、別仕様の吸込みグリル、化粧パネルを製作することも必要無く、共用性が容易に図れ、安価に製造することができる。また、受光部が化粧パネル本体の外周に取り付けられるカバーに設けられているので、吸入風回路に弊害を与える事が無く、最良の風回路設計ができるものである。
【００１６】
第２の発明は、特に、第１の発明の受光部をカバ−の裏面に配置したもので、受光部を必要とする機種とそうでない機種とで、カバーを別部品化する必要もなく、部品の共用化ができるものである。
【００１７】
第３の発明は、特に、第１または第２の発明の化粧パネル本体の複数のコーナー外周に取り付けられるカバーを備え、前記カバーのそれぞれが前記コーナーのどれにでも取り付けられるようにすると共に、受光部を前記カバーの１つに配置したもので、信号を受光部に送信するリモコンに指向性がある場合、そのリモコンに最も近い側あるいは、最も受信状態が良好な位置に受光部を配置したカバ−が簡単に取り付けられ、リモコンなどによる遠隔操作を誤動作無く確実に行なうことができる。
【００１８】
以下本発明の実施の形態について図面を参照しながら説明する。なお、この実施の形態によって本発明が限定されるものではない。
【００１９】
（実施の形態１）
図１は、本実施の形態における空気調和機の構成を示す分解斜視図、図２（ａ）は、同空気調和機本体のコ−ナ−部の断面図、（ｂ）同コーナー部に取り付けた化粧コ−ナ−カバ−の正面図である。
【００２０】
図１において、１は、熱交換器（図示せず）、送風機（図示せず）、前記送風機等を制御する制御装置（図示せず）を内蔵した空気調和機本体、４は、化粧パネルであり、吹出口２ａを有する化粧パネル本体２と、化粧パネル本体２の中央部に設けた吸込口２ｂに取着される吸込グリル３で構成され、空気調和機本体１に据付ネジ５で取付けられる。
【００２１】
６は化粧パネル４の化粧パネル本体２の４角のコ−ナ−部を飾るカバーとなる化粧コ−ナ−カバ−で、４ケの化粧コ−ナ−カバ−６の化粧パネル本体２への取り付け部は、同一形状で各コ−ナ−のどれにでも取付け可能に形成されている。
【００２２】
７は、ワイアレスリモコン９を通じて空気調和機本体１を制御設定行う場合の受信信号をワイアレスリモコン９から受信する制御基板（図示せず）が取付けられた受光部８を備えたカバーである化粧コ−ナ−カバ−で、その外形形状、化粧パネル本体２との取り付け構成は、化粧コ−ナ−カバ−６と同一である。
【００２３】
次に、受光部８の詳細について述べる。受光部８は、ワイアレスリモコン９からの光信号を受光する受光窓１４と、受光窓１４で受光した信号を制御部に送信すると共に、後述の発光素子１１を点滅制御する受信電子制御装置１０から形成されている。
【００２４】
受信電子制御装置１０は、化粧コーナーカバー７の裏面に爪部１２により固定され、化粧コーナ−カバ−７が図に示すように曲面を持ったものでも受信電子制御装置１０に搭載された発光素子１１が曲面に沿う形で配置可能である。また、１５は各発光素子１１からの光が不要な所に漏れないようにするための光漏れカバーであり、前記発光素子１１の周囲を覆う形状で化粧コーナ−カバ−７に一体成形されている。従来この種の受信電子制御装置１０に搭載される発光素子１１の光漏れの対応として前記電子制御装置１０の発光素子１１の周囲に別部品を配置するのであるが、本実施の形態では、化粧コーナ−カバー７に光漏れカバー１５を一体成型したものであり、別部品は必要なく、また金型構成を安価にすることで正面よりまっすぐに割り面をする構成としている。
【００２５】
１３は受信電子制御装置１０と空気調和機本体１に内蔵された制御装置とを電気的に連結する連絡線（図示せず）を通す為の通し穴である。
【００２６】
図２（ｂ）は、受光部８を設けた化粧コーナ−カバ−７の正面図で、正面範囲１６には表示の文字板等（図示せず）が貼られる構成となっている。
【００２７】
図３（ａ）は、化粧コーナ−カバ−の取り付け要領を示す図、（ｂ）は、同化粧コ−ナ−カバ−の取り付け後の部分外観図を示すもので、化粧パネル本体２にある４つの内、１つの化粧コーナ−カバ−として、受光部８を配設した化粧コ−ナ−カバ−７を用いるもので、化粧パネル本体２に設けた引っ掛け部１７に、化粧コーナ−カバ−７の裏面に形成した引掛け部１８を図に示す矢印の方向に嵌めることにより容易に取り付け、または交換することができる。
【００２８】
以上のように本実施の形態によれば、化粧コーナ−カバ−６、７のそれぞれは同一形状なので、受光部８を配置した化粧コーナ−カバ−７もどのコーナ−にでも取り付け可能であり、図３（ｂ）に示す如く意匠性を損なうことなく取り付けが可能となる。
【００２９】
ワイヤレスリモコン９を使用せず、受光部８を取付ける必要が無い場合は、化粧パネル本体２の４ヶ所のコーナーに受光部８が付いていない化粧コ−ナ−カバ−６を取り付けることにより、吸込グリル３、または化粧パネル本体２等が別部材を必要とせず、また、切欠部を埋めるための嵌めこみ用別部材を必要とせず安価に提供できるものである。
【産業上の利用可能性】
【００３０】
以上のように、本発明にかかる空気調和機は、受光部を必要とする機種と必要としない機種とで、カバーを交換するだけなので、全体の意匠性を損なうことがなく、また、風回路の吸入風量に影響を及ぼすことなく、しかも化粧パネル本体や、吸い込みグリルなどに受光部取り付け用の切欠部が不要なので、それらの部品の共用化が図れるので安価に製造できるもので、天井や壁などに取り付けられ遠隔操作される空気清浄機、集塵装置、換気装置などにも適用できるものである。
【図面の簡単な説明】
【００３１】
【図１】本発明の実施の形態１における空気調和機の構成を示す分解斜視図
【図２】（ａ）同空気調和機本体のコ−ナ−部の断面図、（ｂ）同コーナー部に取り付けられた化粧コ−ナ−カバ−の正面図
【図３】（ａ）同化粧コーナ−カバ−の取り付け要領を示す図、（ｂ）化粧コ−ナ−カバ−の取り付け後の化粧パネル本体の部分外観図
【図４】従来の空気調和機の化粧パネルの正面図
【図５】同空気調和機本体の分解図
【符号の説明】
【００３２】
１    空気調和機本体
２    化粧パネル本体
２ａ  吹出口
２ｂ  吸込口
３    吸入グリル
４    化粧パネル
６、７    化粧コ−ナ−カバ−（カバー）
８    受光部
９    ワイヤレスリモコン
１０    受信電子制御装置
１１    発光素子
１４    受光窓
【図１】
2005265264.tif 000003
【図２】
2005265264.tif 000004
【図３】
2005265264.tif 000005
【図４】
2005265264.tif 000006
【図５】
2005265264.tif 000007